(57)【要約】【課題】シリンダ錠に挿入したキーを回して解錠操作した後、キーを自動的に元の基準位置に戻すことができるゲーム機の施錠装置を提供する。【解決手段】鉤部材ユニット１がゲーム機の筐体２８に取り付けられ、シリンダ錠１７を有したシリンダ錠ユニット１１が前扉３０に取り付けられる。鉤部材ユニット１１の基枠体２の上部と下部に鉤部材４，５が傾動可能に枢支され、上下の鉤部材４，５が基枠体２に沿って摺動可能に配設された連結杆６により連結され、連結杆６に係合部が設けられる。シリンダ錠ユニット１１の基枠体１２の取付板１３にシリンダ錠１７がその錠軸１７ｃを内側に入れて取り付けられ、錠軸１７ｃに係合部材１８が固定される。係合部材１８には前扉の閉鎖時に連結杆６の係合部と係合可能な係合凸部１８ａが設けられ、シリンダ錠１７の錠軸１７ｃの先端近傍に、錠軸１７ｃをキーの挿入位置に戻すように付勢するばね部材３７が配設される。【選択図】図７
2005021604.tif 000002
【特許請求の範囲】
【請求項１】
鉤部材を有した鉤部材ユニットがゲーム機の筐体に取り付けられ、該鉤部材が係止される係止部とシリンダ錠を有したシリンダ錠ユニットが前扉に取り付けられ、該筐体に対し該前扉を閉鎖したとき、該鉤部材が係止部に係止されて施錠されるゲーム機の施錠装置であって、
該鉤部材ユニットの基枠体の上部と下部に該鉤部材が傾動可能に枢支され、上下の鉤部材が基枠体に沿って摺動可能に配設された連結杆により連結され、該連結杆に係合部が設けられ、該シリンダ錠ユニットの基枠体の取付板にシリンダ錠がその錠軸を内側に入れて取り付けられ、該錠軸に係合部材が固定され、該係合部材には前扉の閉鎖時に該連結杆の係合部と係合可能な係合凸部が設けられ、該シリンダ錠の錠軸の先端近傍に、該錠軸をキーの挿入位置に戻すように付勢するばね部材が配設されたことを特徴とするゲーム機の施錠装置。
【請求項２】
前記ばね部材は、捻りコイルばねから形成されて、前記錠軸の先端外周部に外嵌配置され、該ばね部材の何れか一方の端部が、該錠軸の先端に固定された係合部材のばね係合部に係合可能で、他方の端部が固定側のばね係合部に係合可能とされることを特徴と請求項１記載のゲーム機の施錠装置。
【請求項３】
取付板と支持板を有する縦長の基枠体における該支持板の上部と下部に、鉤部材が傾動可能に枢支され、該基枠体内に摺動可能に配設された連結杆が該上下の鉤部材に連結され、該連結杆には施錠方向に付勢するためのコイルばねが掛けられ、該取付板にシリンダ錠がその錠軸を内側に挿入するように取り付けられ、該錠軸の先端にカム部材が固定され、該錠軸の回動時に該カム部材が回動して該連結杆に係合し、該連結杆を摺動させるゲーム機の施錠装置において、
該シリンダ錠の錠軸の先端近傍に、該錠軸をキーの挿入位置に戻すように付勢するばね部材が配設されたことを特徴とするゲーム機の施錠装置。
【請求項４】
前記ばね部材は、捻りコイルばねから形成されて、前記錠軸の先端外周部に外嵌配置され、該ばね部材の何れか一方の端部が、該錠軸の先端に固定されたカム部材のばね係合部に係合可能で、他方の端部が固定側のばね係合部に係合可能とされることを特徴と請求項３記載のゲーム機の施錠装置。
【発明の詳細な説明】
【技術分野】
【０００１】
本発明は、パチンコ機、スロットマシン等のゲーム機の前扉を筐体に対し施錠する施錠装置に関し、特に、キーをシリンダ錠に差し込み回して前扉を解錠した後、容易にシリンダ錠をキー挿入位置に戻して、キーを容易に引き抜くことができるゲーム機の施錠装置に関する。
【背景技術】
【０００２】
従来、パチンコ機、スロットマシンなどのゲーム機の前扉を筐体に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、一般に使用されている（例えば下記特許文献１を参照）。
【特許文献１】実公昭５７−８８６７号公報
【発明の開示】
【発明が解決しようとする課題】
【０００３】
この種の施錠装置は、通常、鉤部材を施錠側に付勢するためのコイルばねが連結杆と基枠体との間に装着され、シリンダ錠に差し込んだキーを回して錠軸とカム板を回動させた際、そのコイルばねに付勢力に抗して、連結杆を摺動させて解錠し、解錠後は、そのコイルばねの作用により自動的にシリンダ錠をキーの挿入位置に戻し、キーの引き抜きが可能なようにしている。つまり、シリンダ錠のキーは、連結杆のコイルばねの付勢力によりキーの挿入位置に戻される構造となっている。
【０００４】
しかし、カム板の係合部が連結杆の係合部と係合する部分で、隙間が生じているため、解錠操作後に連結杆が元の位置に戻された状態であっても、カム板及びそれと一体の錠軸はキー挿入位置に、完全には自動的に戻ることができず、キーを回して解錠操作した後、キーをシリンダ錠から引き抜く場合、キーを完全に元の位置に戻して引き抜くと言う煩雑な動作を必要とする課題があった。
【０００５】
さらに、周知のように、パチンコ機、スロットマシンの前扉には、装飾用プラスチック、照明装飾器具など各種の電気部品、装飾部品、操作部品などが装着されている。このため、施錠装置を前扉に取り付けるためのスペースが狭く制限され、さらに、各種の電気部品等を取り付けた前扉は重量が重くなっているため、近年のゲーム機では、開閉の操作性を考慮して、前扉をできるだけ軽くするように、前扉の軽量化が要望されていた。
【０００６】
そこで、ゲーム機の本体側に施錠装置の上下の鉤部材とそれを連結する連結杆を取り付け、前扉には鉤部材が係止される受け具を取り付けると共に、シリンダ錠とカム板を連結杆とは分離して取り付ける構造の施錠装置が研究開発されている。
【０００７】
しかし、この種の施錠装置では、解錠する際、キーをシリンダ錠に差し込み回してカム板を回動させ、それに係合する連結杆を摺動させて鉤部材を傾動させ、これによって解錠するが、連結杆にコイルばねが装着されているため、解錠操作をした後、直ぐに前扉を開くと、前扉側のカム板が本体側の連結杆から離れ、カム板及びシリンダ錠の錠軸には、コイルばねによる復帰側への付勢力が作用しなくなる。このため、ゲーム機の解錠操作者は、前扉を解錠した後、シリンダ錠からキーを抜く際、キーを元の位置に回して戻すという煩雑な操作を必要とする課題があった。
【０００８】
本発明は、上記の点に鑑みなされたもので、シリンダ錠に挿入したキーを回して解錠操作した後、キーを自動的に元の基準位置に戻すことができるゲーム機の施錠装置を提供することを目的とする。
【課題を解決するための手段】
【０００９】
このために、請求項１のゲーム機の施錠装置は、鉤部材を有した鉤部材ユニットがゲーム機の筐体に取り付けられ、鉤部材が係止される係止部とシリンダ錠を有したシリンダ錠ユニットが前扉に取り付けられ、筐体に対し前扉を閉鎖したとき、鉤部材が係止部に係止されて施錠されるゲーム機の施錠装置であって、鉤部材ユニットの基枠体の上部と下部に鉤部材が傾動可能に枢支され、上下の鉤部材が基枠体に沿って摺動可能に配設された連結杆により連結され、連結杆に係合部が設けられ、シリンダ錠ユニットの基枠体の取付板にシリンダ錠がその錠軸を内側に入れて取り付けられ、錠軸に係合部材が固定され、係合部材には前扉の閉鎖時に連結杆の係合部と係合可能な係合凸部が設けられ、シリンダ錠の錠軸の先端近傍に、錠軸をキーの挿入位置に戻すように付勢するばね部材が配設されたことを特徴とする。
【００１０】
ここで、上記ばね部材は、捻りコイルばねから形成されて、錠軸の先端外周部に外嵌配置され、ばね部材の何れか一方の端部が、カム部材のばね係合部に係合可能で、他方の端部が固定側のばね係合部に係合可能とすることができる。
【００１１】
請求項３のゲーム機の施錠装置は、取付板と支持板を有する縦長の基枠体における支持板の上部と下部に、鉤部材が傾動可能に枢支され、基枠体内に摺動可能に配設された連結杆が上下の鉤部材に連結され、連結杆には施錠方向に付勢するためのコイルばねが掛けられ、取付板にシリンダ錠がその錠軸を内側に挿入するように取り付けられ、錠軸の先端にカム部材が固定され、錠軸の回動時にカム部材が回動して連結杆に係合し、連結杆を摺動させるゲーム機の施錠装置において、シリンダ錠の錠軸の先端近傍に、錠軸をキーの挿入位置に戻すように付勢するばね部材が配設されたことを特徴とする。
【発明の効果】
【００１２】
上記構成の請求項１の施錠装置は、ゲーム機の前扉の内側にシリンダ錠ユニットが取り付けられ、その筐体内に鉤部材ユニットが、その鉤部材をシリンダ錠ユニット側の係止部に対応した位置に配置し、且つそのシリンダ錠の係合部材の係合凸部を連結杆の係合部に対応した位置に配置して取付けられる。
【００１３】
この施錠装置は、ゲーム機の前扉にシリンダ錠ユニットが取り付けられ、その筐体に連結杆と鉤部材を備えた鉤部材ユニットが取り付けられるため、従来の施錠装置のように受け金具以外の全ての部材を取り付けた施錠装置本体を前扉の内側に取り付ける場合に比べ、シリンダ錠ユニットの大きさ及び重さを、小形でより軽量とすることができる。これにより、前扉の全重量を軽量化することができ、少ない操作力で前扉の開閉を楽に行うことができる。
【００１４】
この施錠装置では、ゲーム機の筐体に対し前扉を閉じると、シリンダ錠ユニットの上部と下部に設けた係止部が筐体側の鉤部材ユニットの鉤部材に当たりながら前進し、それにより上下の鉤部材が傾動して係止部に係止され、施錠される。このとき、シリンダ錠の錠軸に固定した係合部材の係合凸部が、鉤部材ユニット側の連結杆の係合部に対峙する位置まで進入する。
【００１５】
解錠する際には、前扉の前面に露出するシリンダ錠の鍵穴にキーを差し込み、一方向に回すと、シリンダ錠の錠軸と係合部材が回動し、これにより、係合部を介して係合する連結杆が摺動し、上下の鉤部材が傾動して、係合部との係合を解除し、解錠される。そして、前扉が開放されて、係合部材が連結杆から離れるが、シリンダ錠の錠軸の先端近傍に、元の位置に復帰させるためのばね部材があるため、操作者がキーの操作力を緩めれば、係合部材と錠軸はこのばね部材によって自動的にキー挿入位置に戻される。したがって、キーを操作する操作者は解錠した後、或いは施錠した後、直ぐにキーをシリンダ錠から抜くことができる。
【００１６】
また、請求項３の施錠装置は、ゲーム機の前扉の内側に縦に固定され、ゲーム機の筐体側には、鉤部材が係止される受け金具が対応位置に固定される。前扉を筐体に対し閉じると、コイルばねの付勢力に抗して鉤部材が傾動することにより、筐体側の受け金具に鉤部材が係止され、施錠状態となる。解錠する場合、前扉の前面に露出するシリンダ錠にキーを差し込み、回すと、錠軸と共にカム部材が回動し、カム部材の係合凸部が連結杆に係合し、コイルばねの付勢力に抗して連結杆を解錠方向に摺動させる。このとき、連結杆に連結された上下の鉤部材が傾動して、受け金具との係止が外れ、解錠される。解錠後、操作者はキーの操作力を緩めれば、コイルばねの付勢力により連結杆が元の位置に戻り、カム部材も連結杆の復帰移動に伴い復帰側に回動するが、従来の施錠装置の場合、連結杆の係合部とカム部材の係合部との間に隙間（遊び）があるため、完全にはもとの位置に戻らない。
【００１７】
しかし、本発明の施錠装置では、シリンダ錠の錠軸の先端近傍に、元の位置に復帰させるためのばね部材があるため、操作者がキーの操作力を緩めれば、カム部材と錠軸はこのばね部材によって自動的にキー挿入位置に戻される。したがって、キーを操作する操作者は解錠した後、或いは施錠した後、直ぐにキーをシリンダ錠から抜くことができる。
【発明を実施するための最良の形態】
【００１８】
以下、本発明の実施例を図面に基づいて説明する。図１はスロットマシン用の施錠装置の鉤部材ユニット１の正面図、図２はその左側面図、図３はその右側面図、図４はその分解図を示している。それらの図において、２は鋼板をプレス加工して形成された縦長の基枠体であり、平板で帯状の取付板３を主体に薄形に形成され、取付板３には複数の取付孔が穿設される。取付板３の前面側の縁には、小さくＬ形に曲げるようにして曲折縁部３ａが長手方向に沿って形成され、この曲折縁部３ａは基枠体２の長手方向の曲げ強度を上げると共に、筐体２８への装着時に、前扉３０との間の隙間を閉鎖するように作用する。
【００１９】
取付板３の上部寄りに、軸ピン４ｂによって鉤部材４が上側に傾動可能に軸支され、さらに取付板３の下部寄りに、軸ピン５ｂによって鉤部材５が上側に傾動可能に軸支される。鉤部材４，５はフック状に形成され、その係止凹部を下側にして傾動可能に軸支される。また、鉤部材４，５は、基枠体２の取付板３の内側から突出せず、その平面内に位置するように軸支されている。
【００２０】
このように取付板３の平面に沿って回動可能に軸支された鉤部材４，５は、基枠体２の取付板３の取付面と平行に且つその平面内に配設されることになる。さらに、取付板３には連結杆６が上下摺動可能に配設され、連結杆６の上部は連結ピン４ａにより鉤部材４の端部に連結され、連結杆６の下部は連結ピン５ａにより鉤部材５の端部に連結される。
【００２１】
また、連結杆６にはその中間部に長孔６ｂが穿設され、その長孔６ｂにガイドピン７が挿通されて取付板３の上に固定され、これによって、連結杆６はガイドピン７にガイドされて、取付板３上をその長手方向（縦方向）に沿って上下に摺動可能とされる。なお、連結杆６は、長孔とガイドピンによる摺動ガイドの他に、取付板３に切起し部を設け、その切起し部によって連結杆６を摺動可能にガイド保持させることもできる。さらに、連結杆６の中間部には係合部６ａが設けられ、この係合部６ａは、後述のシリンダ錠ユニット１１のシリンダ錠１７の錠軸に固定される係合部材１８上の係合凸部１８ａと係合可能とされる。連結杆６と取付板３の間には、コイルばね８が架け渡され、コイルばね８は連結杆６を上方につまり施錠方向に付勢している。
【００２２】
一方、前扉３０に取り付けられるシリンダ錠ユニット１１は、図５〜図７に示すように、基枠体１２の取付板１３の略中央部に、シリンダ錠１７を取り付けて構成されている。基枠体１２は、細いＬ型のフレーム状に形成され、その正面側に取付板１３が形成され、中央部の取付板が幅広に形成されて取付折曲部とされ、この取付折曲部にシリンダ錠１７が取り付けられる。基枠体１２は全体として取付板１３を主体として薄形に形成され、その上部に受け金具としての係止部１４が形成され、下部に係止部１５が形成されている。この係止部１４，１５は、前扉３０を閉鎖したとき、鉤部材ユニット１の鉤部材４，５が係止され、その鉤部材４，５の対応位置に配置される。
【００２３】
シリンダ錠１７は、ここでは錠の元部に円筒を接続して長尺のシリンダ錠として形成され、その元部にフランジ部１７ａが形成され、フランジ部１７ａの中央に錠軸１７ｃの先端が突出している。さらに、図１３〜図１５に示すように、フランジ部１７ａの背面側に、スペーサ板３６が固定される。このスペーサ板３６は、図１３に示すように、錠軸１７ｃの周囲にばね部材３７を収納するための空間としてばね収納部３６ｂを形成すると共に、ばね部材３７の両端部を係合させて保持するためのばね係合部３６ｂを、Ｃ形部の両端に設けて形成され、フランジ部１７ａの背面側に固定される。
【００２４】
そして、そのばね収納部３６ｂに捻りコイルばねとしてのばね部材３７が収納され、そのばね部材３７の両端はばね係合部３６ｂに係合して保持される。そして、錠軸１７ｃの先端に係合部材１８が固定ねじ１８ｅにより固定される。係合部材１８は、図１３〜図１５に示すように、錠軸１７ｃに取り付けられる基部の外周部に、連結杆６の係合部６ａ側に係合可能な係合凸部１８ａと非接触スイッチを作動するための作動片１８ｂを突設して形成され、さらに、その基部には、ばね部材３７の曲折端部が係合可能なばね係合部１８ｃ、１８ｄがスペーサ板側に折り曲げるように形成されている。
【００２５】
このようなスペーサ板３６、ばね部材３７、及び係合部材１８を取り付けたシリンダ錠１７は、図５〜図７に示すように、シリンダ錠ユニットの取付板１３に取り付けられるが、この取付板１３にはその円筒を挿入可能な孔が形成され、その孔にシリンダ錠１７を外側から挿入し、内側でフランジ部１７ａ及びスペーサ板３６をねじ止めして固定される。
【００２６】
また、係合部材１８の作動片１８ｂにより作動する非接触スイッチ１０は、図６、図７に示すように、シリンダ錠１７の近傍の取付板１３上に取り付けられ、光電スイッチ、近接スイッチなどの非接触スイッチから構成される。この非接触スイッチ１０は、ゲームのリセットスイッチなどとして使用されるもので、シリンダ錠１７の操作により作動片１８ｂが非接触スイッチ１０の内側に挿入してスイッチング作動させる。
【００２７】
さらに、シリンダ錠ユニット１１の正面側のシリンダ錠１７の下側に、前扉３０の下部に開閉可能に配設される下パネル３１を施錠するための下パネル施錠部材２０が配設されている。この下パネル施錠部材２０は板状に形成され、上部と下部にフック状の鉤部２１，２２が前面に向けて且つフックを上側に向けて突設される。図６に示すように、シリンダ錠ユニット１１の基枠体１２の取付板１３には、その中央から下部寄りの正面側に、突出部が設けられ、その突出部に下パネル施錠部材２０がピンとガイド孔の嵌合により上下摺動可能に保持されている。
【００２８】
また、図５に示すように、下パネル施錠部材２０と取付板１３との間にはコイルばね２４が装着され、下パネル施錠部材２０はコイルばね２４により上方の施錠側に付勢されている。さらに、下パネル施錠部材２０の下部に解錠操作用の操作部２３が内側に曲折して設けられ、この操作部２３を押し下げて下パネル施錠部材２０を下方に摺動させることにより、下パネル３１の解錠操作が行なわれる。
【００２９】
一方、取付板１３の下部には、ローラ用の支持板９が略水平に設けられ、前扉３０の閉鎖時にシリンダ錠ユニット１１側のローラ１９が支持板９上に乗り上げ、それを支持するようにしている。
【００３０】
上記のように構成された施錠装置の鉤部材ユニット１は、図８〜図１１に示すように、ゲーム機の筐体２８の内側の縦枠部分に、その取付板３を側壁に当て、その曲折縁部３ａを筐体２８の前縁部から少し前に出すようにして、且つ鉤部材４、５を前扉３０側に向けて取付けられる。
【００３１】
一方、シリンダ錠ユニット１１は、図８〜図１１に示すように、前扉３０の内側にその基枠体１２の取付板１３を固定して取り付けられる。このとき、基枠体１２の上部と下部に突設した係止部１４，１５は、上記鉤部材ユニット１側の鉤部材４、５に対向した位置に配置される。また、シリンダ錠１７の錠軸に固定した係合部材１８の係合凸部１８ａが、鉤部材ユニット１側の連結杆６の係合部６ａの真上位置に、前扉３０の閉鎖時に進入するように配置される。また、前扉３０の下部には下パネル３１がヒンジを介して開閉可能に装着され、その下パネル３１の自由端側の内側には、図１０に示すように、係止部３２，３３が設けられ、下パネル施錠部材２０の鉤部２１，２２が閉鎖時にその係止部３２，３３に係止可能である。さらに、基枠体１２の下端部に設けたローラ１９は、鉤部材ユニット２側の支持板９に対応した位置に位置し、前扉３０の閉鎖時の支持板９上に乗り上げるように配置される。
【００３２】
このように、ゲーム機の筐体２８の内壁に鉤部材ユニット１が取り付けられるが、鉤部材ユニット１の基枠体２は取付板３を主体に薄形に形成されているために、筐体２８の内壁付近の非常に狭いスペースに装着することができる。また、取付板３の曲折縁部３ａは、前扉３０の閉鎖時、前扉３０と筐体２８との隙間を塞ぐように作用し、針金などを差し込んで行う不正解錠を防止できる。
【００３３】
さらに、前扉３０にシリンダ錠ユニット１１が取り付けられるが、その基枠体１２にはシリンダ錠１７、係合部材１８、及び係止部１４，１５が取り付けられるだけであるため、従来の施錠装置のように受け金具以外の全ての部材を取り付けた施錠装置本体を前扉の内側に取り付ける場合に比べ、シリンダ錠ユニット１１の大きさ及び重さを、小形でより軽量とすることができる。これにより、前扉３０の全重量を軽量化することができ、少ない操作力で前扉の開閉を楽に行うことができる。また、シリンダ錠ユニット１１の基枠体１２も、上記と同様に、取付板１３を主体に薄く形成することにより、前扉３０における施錠装置を取り付けるためのスペースを最小とすることができる。
【００３４】
図９〜図１１に示すように、ゲーム機の前扉３０を閉じると、前扉３０側のシリンダ錠ユニット１１の上下の係止部１４，１５の上縁部が、筐体２８側の鉤部材ユニット１の上下の鉤部材４、５に当たり、鉤部材４，５がコイルばね８の付勢力に抗して上側に傾動し、鉤部材４，５の係合凹部に係止部の縁部が入ったところで、コイルばね８の付勢力によって鉤部材４，５が水平位置に戻り、その係止部１４，１５に係止される。このとき、前扉３０側のシリンダ錠ユニット１１のローラ１９が、筐体２８側の鉤部材ユニット１１の支持板９に乗り上げ、これにより前扉３０が支持板９から持上げ力を付与され、重量のある前扉であってその位置が下方にずれた状態でも、適正位置に持ち上げられて、閉鎖される。
【００３５】
前扉３０を解錠する場合は、図１２（ａ）から（ｂ）に示すように、前扉３０のシリンダ錠１７にキーを差し込み、シリンダ錠１７の錠軸を右側に回すと、係合部材１８が同方向に回転し、その係合部材１８の係合凸部１８ａが、鉤部材ユニット１側の連結杆６の係合部６ａを押し上げるように動作して連結杆６を上方に摺動させる。これにより、上下の鉤部材４、５が軸ピン４ｂ、５ｂを軸に上方に傾動し、前扉３０側のシリンダ錠ユニット１の係止部１４，１５との係合が外れ、前扉３０は解錠される。
【００３６】
またこのように、シリンダ錠１７にキーを差し込んで右に回したとき、図１３（ｃ）に示すように、係合部材１８のばね係合部１８ｃがばね部材３７の一端を押してばね部材３７を捻ることになる。このため、シリンダ錠１７の錠軸１７ｃはばね部材３７から戻る方向に付勢力を受ける。したがって、操作者は、キーを回した後、キーを回す操作力を緩めれば、係合部材１８、錠軸１７ｃ、及びキーは元のキー挿入位置に自動的に戻され、操作者はキーを容易に抜き取ることができる。
【００３７】
特に、本施錠装置の場合、解錠操作をした後、係合部材１８の係合凸部１８ａが連結杆６の係合部６ａから離れると、連結杆６のコイルばねによる復帰動作の作動力を受けない状態となるが、シリンダ錠側に設けたばね部材３７の付勢力により、キーをキー挿入位置まで正確に且つ自動的に戻ることができる。
【００３８】
前扉３０が開いた状態で、前扉３０の内側に位置する操作部２３を押し下げて下パネル施錠部材２０をコイルばね２４の付勢力に抗して下に摺動させると、下パネル施錠部材２０の鉤部２１，２２が下に摺動して、下パネル３１の内側に設けた係止部３２，３３との係合が外れる。これにより、下パネル３１が解錠され、前扉３０に対し下パネル３１を開き、保守点検などを行なうことができる。
【００３９】
一方、ゲーム機のリセット操作を行なう際には、シリンダ錠１７の鍵穴にキーを差し込み、キーを左側に回して係合部材１８を同方向に回動させる。このとき、係合部材１８の作動片１８ｂが非接触スイッチ１０の検出部（挿入空間）に進入し、非接触スイッチ１０がスイッチング動作を行って、ゲーム機にリセット信号を発生させる。この場合も上記と同様に、シリンダ錠１７にキーを差し込んで左に回したとき、図１３（ｂ）に示すように、係合部材１８のばね係合部１８ｄがばね部材３７の一端を押してばね部材３７を捻ることになる。このため、シリンダ錠１７の錠軸１７ｃはばね部材３７から戻る方向に付勢力を受ける。したがって、操作者は、キーを回した後、キーを回す操作力を緩めれば、係合部材１８、錠軸１７ｃ、及びキーは元のキー挿入位置に正確に且つ自動的に戻され、操作者はキーを容易に抜き取ることができる。
【００４０】
図１６〜図１８は他の実施形態の施錠装置を示している。この例の施錠装置は、基枠体１０１上に連結杆、鉤部材などの各部材が取り付けられる構造のものであり、ゲーム機の前扉の内側に取り付けられ、筐体側には、鉤部材に対応した受け金具が取り付けられる。
【００４１】
図１６，１７に示すように、基枠体１０１は、断面を略Ｌ形に曲折した縦長の枠状に形成され、取付板１０２と支持板１０３が設けられる。基枠体１０１の支持板１０３の上部と下部に、鉤部材１０５，１０６が枢軸１０７，１０８により傾動可能に枢支され、基枠体１０１内には連結杆１０４が摺動可能に配設される。支持板１０３には切り起し部１０３ａが形成され、連結杆１０４はこれらの切り起し部１０３ａにガイドされて上下摺動する。連結杆１０４の上部がピン１０５ａにより鉤部材１０５に連結され、その下部がピン１０６ａにより鉤部材１０６に連結され、連結杆１０４の下方摺動により鉤部材１０５，１０６が解錠側の下側に傾動する。
【００４２】
また、連結杆１０４には施錠方向に付勢するためのコイルばね１１２が掛けられ、連結杆１０４を上方に付勢する。さらに、取付板１０２の下部寄りに穴が形成され、その穴にシリンダ錠１１７がその錠軸１１７ｃを内側に挿入するように、フランジ部１１７ａを介して取り付けられる。また、シリンダ錠の取付位置近傍の連結杆１０４と支持板１０３の間には、非接触スイッチをオンオフ動作させるための作動杆１１１が摺動可能に配設されている。
【００４３】
シリンダ錠１１７は、その元部に円筒を接続して長尺のシリンダ錠として形成され、元部にフランジ部１１７ａが形成され、フランジ部１１７ａの中央に錠軸１１７ｃの先端が突出して配置される。さらに、図１８に示すように、フランジ部１１７ａの背面側に、スペーサ板１３６が固定される。このスペーサ板１３６は、錠軸１１７ｃの周囲にばね部材１３７を収納するための空間としてばね収納部を形成すると共に、ばね部材１３７の両端部を係合させて保持するためのばね係合部１３６ｂを、Ｃ形部の両端に設けて形成され、フランジ部１１７ａの背面側に固定される。
【００４４】
そして、そのばね収納部に捻りコイルばねとしてのばね部材１３７が収納され、そのばね部材１３７の両端はばね係合部１３６ｂに係合して保持される。そして、錠軸１１７ｃの先端にカム部材１１８が固定ねじ１１８ｅにより固定される。カム部材１１８は、図１８に示すように、錠軸１１７ｃに取り付けられる基部の外周部に、連結杆１０４の係合部側に係合可能な係合凸部１１８ａと、非接触スイッチを作動するための作動部材１１１の係合部に係合可能な係合凸部１１８ｂとが形成され、さらに、その基部には、ばね部材１３７の曲折端部が係合可能なばね係合部１１８ｃ、１１８ｄがスペーサ板側に折り曲げるように形成されている。
【００４５】
このようなスペーサ板１３６、ばね部材１３７、及びカム部材１１８を取り付けたシリンダ錠１１７は、基枠体１０１の取付板１０２に取り付けられるが、この取付板１０２にはその円筒を挿入可能な孔が形成され、その孔にシリンダ錠１１７を外側から挿入し、内側でフランジ部１１７ａ及びスペーサ板１３６をねじ止めして固定される。
【００４６】
このように構成された施錠装置は、図示しないゲーム機の前扉の内側の縦に、鉤部材１０５，１０６を筐体側に向けて固定され、ゲーム機の筐体側には、その鉤部材１０５，１０６に対応した位置に、受け金具が固定される。そして、前扉を筐体に対し閉じると、施錠装置の上下の鉤部材１０５，１０６が受け金具に当って一旦傾動しながら元の位置に戻って受け金具に係止され、施錠状態となる。
【００４７】
前扉を解錠する場合は、図１８（ａ）から（ｂ）に示すように、シリンダ錠１１７にキーを差し込み、シリンダ錠１１７の錠軸を右側に回すと、カム部材１１８が同方向に回転し、そのカム部材１１８の係合凸部１１８ａが、連結杆１０４の係合部を押し下げるように動作して連結杆１０４を下方に摺動させる。これにより、上下の鉤部材１０５、１０６が枢軸１０７，１０８を軸に下方に傾動し、受け金具との係合が外れ、前扉は解錠される。
【００４８】
またこのようにシリンダ錠１１７にキーを差し込んで右に回したとき、図１８（ｂ）に示すように、カム部材１１８のばね係合部１１８ｃがばね部材１３７の一端を押してばね部材１３７を捻ることになる。このため、シリンダ錠１１７の錠軸１１７ｃはばね部材１３７から戻る方向に付勢力を受ける。したがって、解除操作者は、キーを回した後、キーを回す操作力をなくせば、カム部材１１８、錠軸１１７ｃ、及びキーは元のキー挿入位置に自動的に戻され、操作者はキーを容易に抜き取ることができる。特に、本施錠装置の場合、解錠操作をした後、カム部材１１８の係合凸部１１８ａが連結杆１０４の係合部から離れると、連結杆１０４のコイルばね１１２による復帰動作の作動力を受けない状態となるが、シリンダ錠側に設けたばね部材１３７の付勢力により、キーをキー挿入位置まで正確に且つ自動的に戻ることができる。
【００４９】
以上説明したように、本発明のゲーム機の施錠装置によれば、解錠する際、前扉の前面に露出するシリンダ錠の鍵穴にキーを差し込み、一方向に回すと、シリンダ錠の錠軸と係合部材またはカム部材が回動し、これにより、係合部を介して係合する連結杆が摺動し、上下の鉤部材が傾動して、係合部との係合を解除し、解錠される。そして、前扉が開放されて、係合部材またはカム部材が連結杆から離れるが、シリンダ錠の錠軸の先端近傍に、元の位置に復帰させるためのばね部材があるため、操作者がキーの操作力を緩めれば、係合部材又はカム部材と錠軸はこのばね部材によって自動的にキー挿入位置に戻される。したがって、キーを操作する操作者は解錠した後、或いは施錠した後、直ぐにキーをシリンダ錠から抜くことができる。
【図面の簡単な説明】
【００５０】
【図１】本発明の一実施形態を示す鉤部材ユニットの正面図である。
【図２】同鉤部材ユニットの左側面図である。
【図３】同装鉤部材ユニットの右側面図である。
【図４】同装鉤部材ユニットの分解図である。
【図５】シリンダ錠ユニットの正面図である。
【図６】同シリンダ錠ユニットの左側面図である。
【図７】同シリンダ錠ユニットの背面図である。
【図８】施錠装置を取り付けたゲーム機の一部切り欠き正面図である。
【図９】施錠装置を取り付けたゲーム機の閉鎖状態の左側面図である。
【図１０】施錠装置を取り付けたゲーム機の閉鎖状態の左側面図である。
【図１１】施錠装置を取り付けたゲーム機の開放状態の右側面図である。
【図１２】（ａ）は施錠時の係合部材１８と係合部６ａの関係を示す部分拡大図、（ｂ）は解錠時の係合部材１８と係合部６ａの関係を示す部分拡大図である。
【図１３】（ａ）は係合部材１８付きシリンダ錠１７の背面図、（ｂ）はスイッチ作動側にキーを回した際の背面図、（ｃ）は前扉解錠側にキーを回した際の背面図である。
【図１４】（ａ）は係合部材１８付きシリンダ錠１７の左側面図、（ｂ）は同右側面図である。
【図１５】係合部材１８とシリンダ錠１７の分解側面図である。
【図１６】他の実施形態の施錠装置の左側面図である。
【図１７】同施錠装置の背面図である。
【図１８】（ａ）はカム部材１１８付きシリンダ錠１１７の背面図、（ｂ）は前扉解錠側にキーを回した際の背面図、（ｃ）スイッチ作動側にキーを回した際の背面図である。
【符号の説明】
【００５１】
１−鉤部材ユニット
２−基枠体
３−取付板
３−曲折縁部
４，５−鉤部材
６−連結杆
６ａ−係合部
１１−シリンダ錠ユニット
１２−基枠体
１３−取付板
１４，１５−係止部
１７−シリンダ錠
１８−係合部材
１８ａ−係合凸部
２８−筐体
３０−前扉
３６−スペーサ板
３７−ばね部材                                                                               
【図１】
2005021604.tif 000003
【図２】
2005021604.tif 000004
【図３】
2005021604.tif 000005
【図４】
2005021604.tif 000006
【図５】
2005021604.tif 000007
【図６】
2005021604.tif 000008
【図７】
2005021604.tif 000009
【図８】
2005021604.tif 000010
【図９】
2005021604.tif 000011
【図１０】
2005021604.tif 000012
【図１１】
2005021604.tif 000013
【図１２】
2005021604.tif 000014
【図１３】
2005021604.tif 000015
【図１４】
2005021604.tif 000016
【図１５】
2005021604.tif 000017
【図１６】
2005021604.tif 000018
【図１７】
2005021604.tif 000019
【図１８】
2005021604.tif 000020